(57)【要約】【課題】ユーザが印刷用画像のデータを取得する際の利便性を向上させる。【解決手段】（Ａ）データを受信するためにサーバーとの通信を行う通信部と、（Ｂ）前記通信部を介してサーバーから電子番組表のデータを受信し、該データに基づいて電子番組表を表示する表示処理と、ユーザの、前記電子番組表中の個別の番組に対する所定の操作、に基づいて前記通信部を介してサーバーから、前記番組に関連付けられた印刷媒体への印刷用画像、のデータを作成するための素材の素材データ、を素材カテゴリ別に分けて受信し、該素材データに基づく素材をユーザが選択する該素材の候補として前記素材カテゴリ別に分けてユーザに提示する提示処理と、提示された前記素材のうちのユーザにより選択された素材の素材データ、から前記印刷用画像のデータを作成する作成処理と、を実行するデータ処理実行部と、（Ｃ）を有することを特徴とするデータ処理装置。【選択図】図１１
2008306291.tif 000002
【特許請求の範囲】
【請求項１】
（Ａ）データを受信するためにサーバーとの通信を行う通信部と、
（Ｂ）前記通信部を介してサーバーから電子番組表のデータを受信し、該データに基づいて電子番組表を表示する表示処理と、
ユーザの、前記電子番組表中の個別の番組に対する所定の操作、に基づいて前記通信部を介してサーバーから、
前記番組に関連付けられた印刷媒体への印刷用画像、のデータを作成するための素材の素材データ、
を素材カテゴリ別に分けて受信し、該素材データに基づく素材をユーザが選択する該素材の候補として前記素材カテゴリ別に分けてユーザに提示する提示処理と、
提示された前記素材のうちのユーザにより選択された素材の素材データ、から前記印刷用画像のデータを作成する作成処理と、
を実行するデータ処理実行部と、
（Ｃ）を有することを特徴とするデータ処理装置。
【請求項２】
請求項１に記載のデータ処理装置において、
前記素材データは、前記素材カテゴリを示すカテゴリ情報を備え、
前記データ処理実行部は、前記提示処理時、
前記素材を前記カテゴリ情報に基づいて前記素材カテゴリ別に分けてユーザに提示することを特徴とするデータ処理装置。
【請求項３】
請求項１又は請求項２のいずれかに記載のデータ処理装置において、
データを保存するためのデータ保存部が更に備えられており、
前記データ処理実行部は、
前記表示処理後、ユーザの、前記電子番組表のデータに対する保存要求操作、に基づいて該データを前記データ保存部に保存させる保存処理と、
前記データ保存部に保存させた前記電子番組表のデータに基づいて該電子番組表を再表示する再表示処理と、を更に実行し、かつ、
前記提示処理時、ユーザの、再表示された前記電子番組表中の個別の番組に対する所定の操作、に基づいて前記通信部を介してサーバーから前記素材データを受信することを特徴とするデータ処理装置。
【請求項４】
請求項１乃至請求項３のいずれかに記載のデータ処理装置において、
前記データ処理実行部は、前記提示処理時、
ユーザの前記番組に対する所定の操作、に基づいて前記通信部を介してサーバーから、
前記番組に関連付けられた前記印刷用画像、のデータを作成するための素材データの素材カテゴリの候補、を示すデータ、
を受信して、該データに基づいて前記素材カテゴリの候補をユーザに提示し、
ユーザの前記素材カテゴリの候補に対する選択操作、に基づいて前記通信部を介してサーバーから、
ユーザにより選択された素材カテゴリに属する素材データ、の候補を示すデータ、
を受信して、該データに基づいて前記素材データの候補をユーザに提示し、
前記素材データの候補のうちのユーザにより選択された素材データ、をサーバーから前記素材カテゴリ別に分けて受信することを特徴とするデータ処理装置。
【請求項５】
請求項１乃至請求項４のいずれかに記載のデータ処理装置において、
前記データ処理実行部は、前記作成処理後、
ユーザからの要求に応じて、前記印刷用画像のデータに基づく該印刷用画像についてのレイアウト修正画面を表示し、
ユーザの、該レイアウト修正画面上にて行われるレイアウト修正操作、に基づいて前記印刷用画像のデータが備えた該印刷用画像のレイアウト情報、を修正する修正処理、
を更に実行することを特徴とするデータ処理装置。
【請求項６】
（Ａ１）データを受信するためにサーバーとの通信を行う通信部と、
（Ａ２）前記通信部を介してサーバーから電子番組表のデータを受信し、該データに基づいて電子番組表を表示する表示処理と、
ユーザの、前記電子番組表中の個別の番組に対する所定の操作、に基づいて前記通信部を介してサーバーから、
前記番組に関連付けられた印刷媒体への印刷用画像、のデータを作成するための素材の素材データ、
を素材カテゴリ別に分けて受信し、該素材データに基づく素材をユーザが選択する該素材の候補として前記素材カテゴリ別に分けてユーザに提示する提示処理と、
提示された前記素材のうちのユーザにより選択された素材の素材データ、から前記印刷用画像のデータを作成する作成処理と、
を実行するデータ処理実行部と、
（Ａ３）を有するデータ処理装置と、
（Ｂ）前記印刷用画像データに基づいて、該印刷用画像を前記印刷媒体に印刷するための印刷装置と、
（Ｃ）を有することを特徴とする印刷システム。
【請求項７】
データ処理装置が、サーバーから電子番組表のデータを受信し該データに基づいて電子番組表を表示する処理を実行するステップと、
前記データ処理装置が、ユーザの、前記電子番組表中の個別の番組に対する所定の操作、に基づいてサーバーから、
前記番組に関連付けられた印刷媒体への印刷用画像、のデータを作成するための素材データ、
を素材カテゴリ別に分けて受信し、該データに基づく素材をユーザが選択する該素材の候補として前記素材カテゴリ別に分けてユーザに提示する処理を実行するステップと、
前記データ処理装置が、提示された前記素材のうちのユーザにより選択された素材の素材データ、から前記印刷用画像のデータを作成する処理を実行するステップと、
を有することを特徴とするデータ処理方法。
【請求項８】
請求項７に記載のデータ処理方法の各ステップをコンピュータに実行させるためのプログラム。
【発明の詳細な説明】
【技術分野】
【０００１】
本発明は、データ処理装置に関する。特に、電子番組表中の個別の番組に関連付けられた印刷媒体への印刷用画像、のデータを作成するためのデータ処理装置に関する。また、当該データ処理装置と、前記印刷用画像を前記印刷媒体に印刷するための印刷装置と、を有する印刷システムに関する。また、前記データ処理装置による、前記印刷用画像のデータを作成するためのデータ処理方法に関する。さらに、当該データ処理方法の各ステップをコンピュータに実行させるためのプログラムに関する。
【背景技術】
【０００２】
データを受信するためにサーバーとの通信を行う通信部と、該通信部を介してサーバーから電子番組表のデータを受信し該データに基づいて電子番組表を表示する表示処理、を実行するデータ処理実行部と、を有するデータ処理装置は既に知られている（特許文献１参照）。当該データ処理装置が有するデータ処理実行部の中には、電子番組表中の個別の番組に関連付けられた印刷媒体への印刷用画像のデータを作成する処理を実行するものもある。さらに、前記データ処理実行部の中には、ユーザの前記番組に対する所定の操作、に基づいて前記通信部を介してサーバーから、前記番組に関連付けられた印刷媒体への印刷用画像、のデータを作成するための素材の素材データ、を受信するものがある。そして、当該データ処理実行部は、受信した素材データに基づく素材をユーザが選択する該素材の候補としてユーザに提示して、提示された前記素材のうちのユーザにより選択された素材の素材データ、から前記印刷用画像のデータを作成する。
【０００３】
以上のようなデータ処理装置の所有者（ユーザ）は、電子番組表中の個別の番組をＤＶＤ等の記録媒体に録画した場合に、前記データ処理装置によって前記番組に関連付けられた印刷用画像のデータを取得し、前記記録媒体自体や該記録媒体の収納ケースのラベルに該印刷用画像を印刷することが可能である。この結果、ユーザは、前記番組を録画した記録媒体を適切に管理することが可能になる。
【特許文献１】特開２００２−３３５４６３号公報
【発明の開示】
【発明が解決しようとする課題】
【０００４】
ところで、前記データ処理装置（より正確には、前記データ処理実行部）が、サーバーから受信した素材データに基づいて、前記素材の候補をユーザに提示する際、当該素材の候補は、ユーザにとって該素材の選択が容易になるように提示されることが好ましい。すなわち、ユーザが好む素材、により構成された印刷用画像のデータをより容易に作成することが可能なデータ処理装置が求められている。
【０００５】
本発明は、かかる課題に鑑みてなされたものであり、その目的とするところは、ユーザが印刷用画像のデータを取得する際の利便性を向上させることである。
【課題を解決するための手段】
【０００６】
前記課題を解決するために、主たる本発明は、（Ａ）データを受信するためにサーバーとの通信を行う通信部と、（Ｂ）前記通信部を介してサーバーから電子番組表のデータを受信し、該データに基づいて電子番組表を表示する表示処理と、ユーザの、前記電子番組表中の個別の番組に対する所定の操作、に基づいて前記通信部を介してサーバーから、前記番組に関連付けられた印刷媒体への印刷用画像、のデータを作成するための素材の素材データ、を素材カテゴリ別に分けて受信し、該素材データに基づく素材をユーザが選択する該素材の候補として前記素材カテゴリ別に分けてユーザに提示する提示処理と、提示された前記素材のうちのユーザにより選択された素材の素材データ、から前記印刷用画像のデータを作成する作成処理と、を実行するデータ処理実行部と、（Ｃ）を有することを特徴とするデータ処理装置、である。
【０００７】
本発明の他の特徴については、本明細書及び添付図面の記載により明らかにする。
【発明を実施するための最良の形態】
【０００８】
本明細書及び添付図面の記載により少なくとも次のことが明らかにされる。
【０００９】
先ず、（Ａ）データを受信するためにサーバーとの通信を行う通信部と、（Ｂ）前記通信部を介してサーバーから電子番組表のデータを受信し、該データに基づいて電子番組表を表示する表示処理と、ユーザの、前記電子番組表中の個別の番組に対する所定の操作、に基づいて前記通信部を介してサーバーから、前記番組に関連付けられた印刷媒体への印刷用画像、のデータを作成するための素材の素材データ、を素材カテゴリ別に分けて受信し、該素材データに基づく素材をユーザが選択する該素材の候補として前記素材カテゴリ別に分けてユーザに提示する提示処理と、提示された前記素材のうちのユーザにより選択された素材の素材データ、から前記印刷用画像のデータを作成する作成処理と、を実行するデータ処理実行部と、（Ｃ）を有するデータ処理装置。
【００１０】
かかるデータ処理装置であれば、ユーザは、提示された素材の候補の中から、好みの素材をより容易に選択することが可能になる。この結果、ユーザが印刷用画像のデータを取得する際の利便性を向上させることが可能になる。
【００１１】
また、上記のデータ処理装置において、前記素材データは、前記素材カテゴリを示すカテゴリ情報を備え、前記データ処理実行部は、前記提示処理時、前記素材を前記カテゴリ情報に基づいて前記素材カテゴリ別に分けてユーザに提示することとしてもよい。かかる場合、データ処理装置にとって、素材を素材カテゴリ別に分けて提示することがより容易になる。
【００１２】
また、上記のデータ処理装置において、データを保存するためのデータ保存部が更に備えられており、前記データ処理実行部は、前記表示処理後、ユーザの、前記電子番組表のデータに対する保存要求操作、に基づいて該データを前記データ保存部に保存させる保存処理と、前記データ保存部に保存させた前記電子番組表のデータに基づいて該電子番組表を再表示する再表示処理と、を更に実行し、かつ、前記提示処理時、ユーザの、再表示された前記電子番組表中の個別の番組に対する所定の操作、に基づいて前記通信部を介してサーバーから前記素材データを受信することとしてもよい。
【００１３】
ある番組に関連付けられた印刷用画像のデータは、前記ある番組の放送終了後に作成される場合がある。他方、前記ある番組の放送終了後には、該ある番組を含む電子番組表のデータがサーバーから消去される可能性がある。上記の構成を有するデータ処理装置であれば、前記ある番組の放送終了後であっても、該ある番組を含む電子番組表を表示することが可能である。そして、前記ある番組の放送終了後であっても、該ある番組を含む電子番組表を利用して、該ある番組に関連付けられた印刷用画像のデータを作成するための素材データ、をサーバーから受信してくることが可能になる。
【００１４】
また、上記のデータ処理装置において、前記データ処理実行部は、前記提示処理時、ユーザの前記番組に対する所定の操作、に基づいて前記通信部を介してサーバーから、前記番組に関連付けられた前記印刷用画像、のデータを作成するための素材データの素材カテゴリの候補、を示すデータ、を受信して、該データに基づいて前記素材カテゴリの候補をユーザに提示し、ユーザの前記素材カテゴリの候補に対する選択操作、に基づいて前記通信部を介してサーバーから、ユーザにより選択された素材カテゴリに属する素材データ、の候補を示すデータ、を受信し、該データに基づいて前記素材データの候補をユーザに提示し、前記素材データの候補のうちのユーザにより選択された素材データ、をサーバーから前記素材カテゴリ別に分けて受信することとしてもよい。かかる場合、サーバーから受信する素材データを限定して、該素材データを保存させるために確保する容量を節約することが可能になる。
【００１５】
前記データ処理実行部は、前記作成処理後、ユーザからの要求に応じて、前記印刷用画像のデータに基づく該印刷用画像についてのレイアウト修正画面を表示し、ユーザの、該レイアウト修正画面上にて行われるレイアウト修正操作、に基づいて前記印刷用画像のデータが備えた該印刷用画像のレイアウト情報、を修正する修正処理、を更に実行することとしてもよい。かかる場合、ユーザの、前記印刷用画像のレイアウトに対する要求、に応じてより好ましい印刷用画像が作成される。
【００１６】
さらに、（Ａ１）データを受信するためにサーバーとの通信を行う通信部と、（Ａ２）前記通信部を介してサーバーから電子番組表のデータを受信し、該データに基づいて電子番組表を表示する表示処理と、ユーザの、前記電子番組表中の個別の番組に対する所定の操作、に基づいて前記通信部を介してサーバーから、前記番組に関連付けられた印刷媒体への印刷用画像、のデータを作成するための素材の素材データ、を素材カテゴリ別に分けて受信し、該素材データに基づく素材をユーザが選択する該素材の候補として前記素材カテゴリ別に分けてユーザに提示する提示処理と、提示された前記素材のうちのユーザにより選択された素材の素材データ、から前記印刷用画像のデータを作成する作成処理と、を実行するデータ処理実行部と、（Ａ３）を有するデータ処理装置と、（Ｂ）前記印刷用画像データに基づいて、該印刷用画像を前記印刷媒体に印刷するための印刷装置と、（Ｃ）を有する印刷システム、も実現可能である。かかる印刷システムであれば、ユーザが印刷用画像のデータを取得する際の利便性を向上させることが可能になる。
【００１７】
さらに、データ処理装置が、サーバーから電子番組表のデータを受信し該データに基づいて電子番組表を表示する処理を実行するステップと、前記データ処理装置が、ユーザの、前記電子番組表中の個別の番組に対する所定の操作、に基づいてサーバーから、前記番組に関連付けられた印刷媒体への印刷用画像、のデータを作成するための素材データ、を素材カテゴリ別に分けて受信し、該データに基づく素材をユーザが選択する該素材の候補として前記素材カテゴリ別に分けてユーザに提示する処理を実行するステップと、前記データ処理装置が、提示された前記素材のうちのユーザにより選択された素材の素材データ、から前記印刷用画像のデータを作成する処理を実行するステップと、を有するデータ処理方法、も実現可能である。かかるデータ処理方法によれば、ユーザが印刷用画像のデータを取得する際の利便性が向上する。
【００１８】
さらに、上記のデータ処理方法の各ステップをコンピュータに実行させるプログラムも実現可能である。このプログラムがコンピュータに読み取られ、該コンピュータによって前記各ステップが実行されることにより、ユーザが印刷用画像のデータを取得する際の利便性が向上する。
【００１９】
＝＝＝印刷システムの構成例＝＝＝
先ず、本実施形態の印刷システム１について説明する。  
本実施形態の印刷システム１は、ＤＶＤのレーベル面に印刷される画像（以下、レーベル画像）のデータを作成し、該データに基づいてレーベル画像を前記レーベル面に印刷するためのシステムである。ここで、ＤＶＤは印刷媒体の一例であり、該ＤＶＤのレーベル面に印刷されるレーベル画像は印刷用画像の一例である。以下、本実施形態の印刷システム１の概要について図１を用いて説明する。図１は、本実施形態の印刷システム１の概念図である。
【００２０】
本実施形態の印刷システム１は、図１に示すように、『データ処理装置』の一例としてのユーザ端末１０と、該ユーザ端末１０に接続可能な『印刷装置』の一例としてのプリンタ２０と、を備えている。
【００２１】
本実施形態のユーザ端末１０は、パーソナルコンピュータ（ＰＣ）であり、ＣＰＵ、メモリ（本明細書中、メモリとは、ＲＡＭ及びＲＯＭの他、ハードディスク等の補助記憶装置を含む概念である）、及び、該メモリに保存されたＯＳやアプリケーションプログラム等の各種プログラムを有している。このユーザ端末１０は、ネットワーク２に接続しており、該ネットワーク２を通じて各サーバーと通信することが可能である。なお、本実施形態のネットワーク２はインターネットであり、ユーザ端末１０はインターネットを経由して各サーバーとの間でデータの送受信を行う。また、ネットワーク２に接続したサーバー中には、電子番組表のデータを送信するサーバー（以下、電子番組表データ提供サーバー３）や、レーベル画像のデータを作成するための素材の素材データを送信するサーバー（以下、素材データ提供サーバー４）が含まれている。
【００２２】
ユーザ端末１０は、電子番組表データ提供サーバー３から送信された電子番組表のデータを受信すると、当該データに基づいて、後述の電子番組表（図３参照）を表示する。一方、ユーザ端末１０は、素材データ提供サーバー４から送信された素材の素材データを受信し、当該素材データから前記レーベル画像のデータを作成する。ここで、本実施形態に係る素材は、背景画像等の画像やＤＶＤに記録したデータに関する文字列など、レーベル画像を構成する素材である。なお、図１中、電子番組表データ提供サーバー３と素材データ提供サーバー４とは、互いに異なるサーバーであることとしたが、両サーバーが同一のサーバーであることとしてもよい。また、図１中、素材データ提供サーバー４は１台のみ存在するが、これに限定されるものではない。例えば、テレビ放送局各局が素材データ提供サーバー４を保有し、複数台の素材データ提供サーバー４がネットワーク２に接続していてもよい。
【００２３】
プリンタ２０は、ユーザ端末１０にて作成されたレーベル画像をＤＶＤのレーベル面に印刷するための装置である。ユーザ端末１０とプリンタ２０とは、ともに、互いに接続するためのインタフェースを備えている。さらに、ユーザ端末１０には、プリンタ２０を制御するためのプリンタドライバがインストールされている。なお、本実施形態のプリンタ２０は、カラー印刷可能なインクジェット方式のプリンタであるが、これに限定されるものではなく、他の印刷方式のプリンタであってもよい。
【００２４】
以上のような印刷システム１によって、該印刷システム１のユーザは、データを記録したＤＶＤを適切に管理するために、該ＤＶＤのレーベル面にレーベル画像を印刷することが可能である。なお、印刷システム１によるレーベル画像印刷処理については後述する。
【００２５】
＜＜ユーザ端末の構成について＞＞
上記のユーザ端末１０の構成について、図２を用いて、より詳細に説明する。図２は、ユーザ端末１０の構成を示す機能ブロック図である。
【００２６】
ユーザ端末１０は、電子番組表データ提供サーバー３から電子番組表のデータを受信し該データに基づいて電子番組表を表示する機能と、素材データ提供サーバー４から素材データを受信し該素材データから前記レーベル画像のデータを作成する機能と、を備えている。また、ユーザ端末１０は、テレビ放送局から発信されるテレビ番組（以下、単に番組とも言う）の放送電波を受信し、該放送電波を変換して映像データを取得する機能と、当該映像データに基づいて前記番組の映像や音声を出力する機能と、前記映像データをＤＶＤに記憶させる機能と、を備えている。さらに、ユーザ端末１０は、ユーザが行う録画予約操作に基づいて、ユーザが指定した番組の映像データを取得する機能、すなわち、録画予約を設定する機能を備えている。これらの機能を備えたユーザ端末１０は、図２に示すように、制御部１１と、映像データ取得部１２と、通信部１３と、入力部１４と、出力部１５と、データ保存部１６と、データ書込部１７と、データ処理実行部１８と、印刷制御部１９と、を有している。
【００２７】
制御部１１は、ユーザ端末１０の各部を制御し、当該各部は制御部１１を介して互いに接続されている。映像データ取得部１２は、チューナーやエンコーダ等により構成され、テレビ放送局から発信される放送電波を受信し、該放送電波の検波及び復調を行った後、所定の規格に従ってエンコードすることによって前記番組の映像データを取得する。エンコードされた映像データは、動画ファイルとしてデータ保存部１６に保存される。通信部１３は、通信用のインタフェース等により構成され、ネットワーク２に接続した各サーバーとの通信を行うためのものである。すなわち、ユーザ端末１０は、前記通信部１３を介して各サーバーからデータを受信し、前記通信部１３に各サーバーに向けてデータを送信させる。入力部１４は、キーボードやマウス等により構成され、ユーザからの入力操作を受け付けるためのものである。出力部１５は、ディスプレイ等により構成され、前記映像データ取得部１２により取得された映像データに基づいて、番組の映像や音声を出力する。また、本実施形態では、出力部１５は、後述のユーティリティ画面３０を映し出す。データ保存部１６は、前述したメモリにより構成され、各サーバーから受信したデータをはじめとする各種データを保存するためのものである。データ書込部１７は、ＤＶＤへのデータの書き込みを行うものであり、例えば、データ保存部１６に保存された番組の映像データを読み出し、該映像データを所定の書込方式に従ってＤＶＤへ書き込む。
【００２８】
データ処理実行部１８は、ユーザ端末１０にインストールされたプログラムと該プログラムを実行するＣＰＵ等により構成され、図２に示すように、電子番組表表示部１００と、電子番組表保存処理部１０１と、番組録画設定部１０２と、レーベルデータ作成処理部１１０と、を有している。なお、本実施形態では、電子番組表表示部１００と、電子番組表保存処理部１０１と、レーベルデータ作成処理部１１０とは、後述のユーティリティプログラムにより実現される。
【００２９】
電子番組表表示部１００は、通信部１３を介して電子番組表データ提供サーバー３から電子番組表のデータを受信し、該データに基づいて電子番組表を表示する（すなわち、出力部１５に電子番組表を映し出す）ためのものである。なお、本実施形態では、電子番組表のデータはｈｔｍｌ形式のデータである。すなわち、電子番組表表示部１００は、ｈｔｍｌ形式の電子番組表のデータを解析して該電子番組表を描画するためのブラウジング機能を発揮するものである。
【００３０】
電子番組表保存処理部１０１は、電子番組表表示部１００により表示された電子番組表のデータをデータ保存部１６に保存させる処理（保存処理）を実行するものである。具体的に説明すると、電子番組表表示部１００により電子番組表が表示された後、ユーザが入力部１４を介して電子番組表のデータに対する保存要求操作を行うと、電子番組表保存処理部１０１が該電子番組表のデータをデータ保存部１６の所定の領域に保存させる。また、前記電子番組表表示部１００は、保存された電子番組表のデータを読み出し、該データに基づいて、該電子番組表を再表示する処理（再表示処理）を実行することが可能である。このように、本実施形態では、電子番組表のデータをデータ保存部１６に保存させ、保存された電子番組表のデータに基づいて電子番組表（以下、過去の電子番組表）を再表示することが可能である。本実施形態では、電子番組表のデータは１日毎に更新され、過去の電子番組表は電子番組表データ提供サーバー３から逐次消去されるが、当該過去の電子番組表のデータを保存させることにより、該データが電子番組表データ提供サーバー３から消去された後であっても前記過去の電子番組表を表示して利用することが可能となる。
【００３１】
番組録画設定部１０２は、ユーザが指定した番組に対して録画予約を設定する処理を実行するものである。この番組録画設定部１０２は、ユーザの録画予約操作に基づいて前記録画予約を設定し、設定した録画予約の内容（録画番組の放送チャンネル、録画開始時刻、及び、録画終了時刻など）に従って前述の映像データ取得部１２を制御し、該映像データ取得部１２にユーザが指定した番組の映像データを取得させる。
【００３２】
レーベルデータ作成処理部１１０は、素材データ提供サーバー４から素材データを受信し、該素材データからレーベル画像のデータを作成する処理を実行するものである。レーベルデータ作成処理部１１０は、図２に示すように、素材データ受信処理部１１１と、素材提示処理部１１２と、作成処理部１１３と、を有している。素材データ受信処理部１１１は、前記通信部１３を介して素材データ提供サーバー４から素材データを受信する処理を実行する。素材提示処理部１１２は、受信した素材データに基づく素材をユーザが選択する該素材の候補としてユーザに提示する処理を実行する。作成処理部１１３は、素材提示処理部１１２により提示された素材の候補のうちのユーザにより選択された素材、の素材データからレーベル画像のデータを作成する処理を実行する。また、作成処理部１１３は、レーベル画像のデータを作成した後、ユーザからの修正要求に応じて、前記レーベル画像についてのレイアウト修正画面９０（図１４参照）を表示する。さらに、作成処理部１１３は、ユーザの、レイアウト修正画面９０上にて行われるレイアウト修正操作、に基づいて、前記レーベル画像のデータが備えた該レーベル画像のレイアウト情報、を修正する処理も実行する。そして、レーベルデータ作成処理部１１０の各部が協働することによって、ユーザが好む素材によって構成されるレーベル画像のデータが作成される。なお、レーベルデータ作成処理部１１０の各部が実行する処理については後述する。
【００３３】
印刷制御部１９は、前述したインタフェース及びプリンタドライバにより構成され、プリンタ２０の印刷動作を制御するものである。この印刷制御部１９は、ユーザのレーベル画像の印刷要求操作に基づいて、プリンタ２０に該レーベル画像を印刷させる。
【００３４】
以上のようなユーザ端末１０により、電子番組表を表示し、当該電子番組表中の個別の番組に対して録画予約を設定して該番組の映像データを取得し、該映像データをＤＶＤに記録することが可能となる。また、前記映像データが記録されたＤＶＤを管理するために、該ＤＶＤのレーベル面に印刷するためのレーベル画像のデータを作成することが可能である。ここで、前記番組の映像データが記録されたＤＶＤのレーベル面に印刷するレーベル画像は、該ＤＶＤに該番組の映像データが記憶されていることをユーザが確認するために印刷されるものである。つまり、電子番組表中の個別の番組の映像データが記録されたＤＶＤのレーベル面に印刷されるレーベル画像は、該番組に関連付けられて印刷されるものである。
【００３５】
＜＜電子番組表について＞＞
次に、電子番組表表示部１００が表示した電子番組表Ｔについて、図３を用いて説明する。図３は、電子番組表Ｔが表示されたユーティリティ画面３０を示す図である。なお、図３中には、２００７年５月３１日の１８時〜２２時に各テレビ放送局が放送する番組の情報が掲載された電子番組表Ｔが示されている。
【００３６】
ユーザによる起動要求操作によって、前述のユーティリティプログラムが起動すると、図３に示すユーティリティ画面３０が出力部１５（より正確には、ディスプレイ）に映し出される。ユーティリティ画面３０は、電子番組表Ｔを表示する領域としての電子番組表表示画面３１を備えている。そして、ユーティリティプログラムの起動後、電子番組表表示部１００が、電子番組表データ提供サーバー３から受信した電子番組表のデータに基づいて該電子番組表Ｔを電子番組表表示画面３１に表示する。なお、電子番組表表示部１００による電子番組表の表示処理については後述する。
【００３７】
そして、前記電子番組表表示画面３１は、ユーザが表示された電子番組表Ｔに対して行うための操作画面となる。一方、ユーティリティ画面３０は、電子番組表表示画面３１の他に、レーベルデータを作成する際の操作画面となるレーベルデータ作成用画面３２を備えている。また、当該レーベルデータ作成用画面３２には、レーベル画像のデータの作成に際して前記素材提示処理部１１２が素材の候補をユーザに提示するための素材提示用スペース３００、が設けられている。
【００３８】
電子番組表Ｔには、図３に示すように、各テレビ放送局（図３中、チャンネル１、チャンネル２、チャンネル８と表記）が各時間帯に放送する番組について、放送開始時刻、番組タイトル、出演者等の情報が、テレビ放送局及び放送時間毎に区分されてテーブル形式で表示されている。なお、以下の説明では、電子番組表Ｔ中に設けられた、放送局と放送時間によって特定される欄を番組欄と呼ぶ。
【００３９】
また、電子番組表Ｔ中の各番組の番組欄内には、当該各番組の録画予約を設定するための録画予約ボタンＴｒが設けられている。ユーザがある番組の番組欄内に設けられた録画予約ボタンＴｒをクリックすると、前記番組録画設定部１０２が、前記ある番組の録画予約を設定するために必要なデータ（以下、録画予約設定用データ）を、サーバー（本実施形態では、電子番組表データ提供サーバー３）から通信部１３を介して受信する。そして、番組録画設定部１０２は、受信した前記ある番組の録画予約設定用データを解析し、その解析結果に基づいて前記ある番組に対して録画予約を設定する。
【００４０】
さらに、電子番組表Ｔ中の各番組の番組欄内には、当該各番組に関連付けられたレーベル画像のデータを作成するための素材データ、を素材データ提供サーバー４から受信するための素材データ取得ボタンＴｇが設けられている。ユーザがある番組の番組欄内に設けられた素材データ取得ボタンＴｇをクリックすると、レーベルデータ作成処理部１１０（より正確には、素材データ受信処理部１１１）が、前記ある番組を特定するためのデータ（以下、番組特定データ）を生成する。そして、レーベルデータ作成処理部１１０は、当該番組特定データを前記通信部１３に素材データ提供サーバー４に向けて送信させる。素材データ提供サーバー４は、前記番組特定データを受信すると、該番組特定データに基づいて前記ある番組についての素材データを送信し、前記レーベルデータ作成処理部１１０が前記通信部１３を介して該素材データを受信する。
【００４１】
このように、素材データ取得ボタンＴｇによって、電子番組表Ｔの個別の番組と該番組についての素材データとがリンクしており、該素材データ取得ボタンＴｇがユーザにクリックされると、レーベルデータ作成処理部１１０は、素材データ提供サーバー４にアクセスして、該番組についての素材データを受信してくる。ここで、該番組についての素材データとは、該番組に関連付けられたレーベル画像のデータを作成するための素材データであって、素材データ提供サーバー４が送信可能な素材データである。つまり、前記番組についての素材データから作成されるレーベル画像のデータは、該番組に対するレーベル画像のデータとなる。
【００４２】
以上のように、本実施形態では、電子番組表Ｔを利用して、電子番組表Ｔ中の個別の番組についての素材データ、を素材データ提供サーバー４から受信することが可能である。また、本実施形態では、前述したように、電子番組表保存処理部１０１により電子番組表のデータをデータ保存部１６に保存させることが可能である。また、保存された電子番組表のデータに基づいて再表示された電子番組表中の各番組の番組欄内には、素材データ取得ボタンＴｇが設けられ、さらに、該素材データ取得ボタンＴｇがクリックされると番組特定データが生成され前記素材データ提供サーバー４に向けて送信される。すなわち、本実施形態では、過去の電子番組表中の個別の番組についての素材データは、当該素材データが素材データ提供サーバー４に保存されている限り、保存されたデータに基づいて再表示される過去の電子番組表を利用して、前記素材データ提供サーバー４から受信することが可能である。
【００４３】
＜＜レーベル画像印刷処理について＞＞
次に、印刷システム１によってレーベル画像を作成し、該レーベル画像をＤＶＤのレーベル面に印刷する処理（以下、レーベル画像印刷処理）について図４Ａ及び図４Ｂを用いて説明する。図４Ａ及び図４Ｂは、レーベル画像印刷処理のフロー図である。
【００４４】
レーベル画像印刷処理は、電子番組表を表示する処理（表示処理）と、該電子番組表を利用して素材データ提供サーバー４から素材データを受信して該素材データに基づく素材をユーザが選択する該素材の候補としてユーザに提示する処理（提示処理）と、提示された素材のうちのユーザにより選択された素材の素材データからレーベル画像のデータを作成する処理（作成処理）と、該データに基づいてＤＶＤのレーベル面に前記レーベル画像をプリンタ２０に印刷させる処理（印刷処理）と、に大別される。レーベル画像印刷処理は、図４Ａに示すように、ユーティリティプログラムを起動させるところから開始し（Ｓ１０）、表示処理、提示処理、作成処理、印刷処理の順に実行される。また、レーベル画像印刷処理中の各処理は、ユーザの、前述したユーティリティ画面３０上での操作、に基づいて実行される。以下、レーベル画像印刷処理中の各処理について説明する。
【００４５】
＜表示処理＞
本実施形態では、前述したように、電子番組表を利用して、該電子番組表中の個別の番組についての素材データを素材データ提供サーバー４から受信する。このため、レーベル画像印刷処理が開始されると、先ず、電子番組表を表示する表示処理が実行される。当該表示処理では、電子番組表表示部１００が、電子番組表データ提供サーバー３から送信される最新の電子番組表データに基づいて該最新の電子番組表を表示する。一方、電子番組表表示部１００は、前述したように、データ保存部１６に保存された過去の電子番組表のデータに基づいて当該過去の電子番組表を表示することも可能である。最新の電子番組表及び過去の電子番組表のうち、いずれの電子番組表を表示させるかについては、所定の設定画面（不図示）にて設定することが可能である。つまり、表示処理では、最新の電子番組表と過去の電子番組表のうち、ユーザが選択した電子番組表が表示されることになる。
【００４６】
以下、図４Ａを参照しながら、表示処理のフローについて具体的に説明する。ユーティリティプログラムが起動すると、電子番組表表示部１００は、最新の電子番組表と過去の電子番組表のうち、いずれの電子番組表を表示するかについての設定（表示設定）を確認する（Ｓ１２）。
【００４７】
最新の電子番組表を表示する設定になっている場合（Ｓ１２で最新の電子番組表を表示）、電子番組表表示部１００は、通信部１３に電子番組表データ提供サーバー３に向けて、最新の電子番組表データの送信を要求するためのデータ、を送信する（Ｓ１４）。当該データを電子番組表データ提供サーバー３が受信すると（Ｓ１６）、該電子番組表データ提供サーバー３は、前記最新の電子番組表データをユーザ端末１０に向けて送信する（Ｓ１８）。その後、電子番組表表示部１００は、前記通信部１３を介して電子番組表データ提供サーバー３から、最新の電子番組表のデータを受信する（Ｓ２０）。そして、電子番組表表示部１００は、当該データに基づいて、ユーティリティ画面３０の電子番組表表示画面３１に前記最新の電子番組表を表示する（Ｓ２２）。最新の電子番組表が表示された後、ユーザが電子番組表表示画面３１上にて前記最新の電子番組表のデータに対する保存要求操作を行うと（Ｓ２４でＹｅｓ）、電子番組表保存処理部１０１が、データ保存部１６に該最新の電子番組表のデータを保存させる保存処理を実行する。その後、最新の電子番組表中の各番組欄内に設けられた素材データ取得ボタンＴｇがクリックされると、レーベル画像印刷処理は提示処理に移行する。他方、前記保存要求操作が行われずに（Ｓ２４でＮｏ）、前記素材データ取得ボタンＴｇがクリックされた場合には、前記保存処理が実行されることなく、レーベル画像印刷処理は提示処理に移行する。
【００４８】
一方、過去の電子番組表を表示する設定になっている場合（Ｓ１２で過去の電子番組表を表示）、電子番組表表示部１００は、データ保存部１６に該過去の電子番組表のデータが保存されているか否かを確認する（Ｓ２８）。そして、データ保存部１６に過去の電子番組表のデータが保存されている場合（Ｓ２８でＹｅｓ）、電子番組表表示部１００は、該データを読み出す（Ｓ３０）。この際、データ保存部１６に複数の電子番組表のデータが保存されている場合、当該複数のデータのうちのユーザにより選択されたデータが読み出される。そして、電子番組表表示部１００は、読み出したデータに基づいて過去の電子番組表を表示する再表示処理を実行する（Ｓ３２）。なお、当然ながら、再表示処理の実行前（より正確には、過去の電子番組表のデータがデータ保存部１６に保存される前）には、電子番組表表示部１００が電子番組表データ提供サーバー３から前記過去の電子番組表のデータを受信している（過去の電子番組表のデータは、受信された時点では、最新の電子番組表のデータである）。そして、前記電子番組表表示部１００が該データに基づいて電子番組表を表示する処理を実行した後、電子番組表保存処理部１０１が、ユーザの保存要求操作に基づいて該電子番組表のデータをデータ保存部１６に保存させる処理を実行している。
【００４９】
再表示された過去の電子番組表には、前述したように、各番組欄内に素材データ取得ボタンＴｇが設けられており、当該素材データ取得ボタンＴｇがクリックされると、レーベル画像印刷処理が提示処理に移行する。なお、データ保存部１６に電子番組表のデータが保存されていない場合（Ｓ２８でＮｏ）、電子番組表表示部１００は、上述した最新の電子番組表を表示する処理を実行する。
【００５０】
＜提示処理＞
提示処理は、素材データ受信処理部１１１が素材データ提供サーバー４から素材データを受信する処理を実行するステージと、素材提示処理部１１２が前記素材データに基づく素材をユーザが選択する該素材の候補としてユーザに提示する処理を実行するステージと、に分けられる。ここで、『素材カテゴリ』とは、レーベル画像の各素材を分類する概念であり、例えば、「背景」、「タイトル（番組タイトル）」、「放送日」、「放送チャンネル」などが挙げられる。以下、表示処理において過去の電子番組表が再表示された場合を例に挙げて説明する。より具体的には、２００７年５月３１日後に、図３に示す電子番組表（２００７年５月３１日の電子番組表）を表示した場合について説明する。
【００５１】
先ず、素材データ提供サーバー４から素材データを受信するステージについて説明する。当該ステージは、表示処理にて再表示された過去の電子番組表中の個別の番組、に対してユーザが所定の操作を行うことにより、素材データ受信処理部１１１が、当該所定の操作が行われた番組を特定するところから始まる。具体的に説明すると、ユーザが、過去の電子番組表中の個別の番組に対し、該番組の番組欄に設けられた素材データ取得ボタンＴｇをクリックすると、素材データ受信処理部１１１が、該番組を特定するために、前述した番組特定データを生成する。以下、過去の電子番組表中、チャンネル２にて１８時から放送され、番組タイトルが「映画Ａ」である番組（以下、単に「映画Ａ」）の番組欄に設けられた素材データ取得ボタンＴｇがクリックされた場合を具体例に挙げて説明する。つまり、本例にて実行されるレーベル画像印刷処理は、「映画Ａ」に関連付けられたレーベル画像（すなわち、「映画Ａ」の映像データを記録したＤＶＤを管理するために印刷されるレーベル画像であり、以下、「映画Ａ」のレーベル画像と言う）を印刷するための処理である。
【００５２】
素材データ受信処理部１１１は、「映画Ａ」を特定する番組特定データを作成すると、該番組特定データを通信部１３に素材データ提供サーバー４に向けて送信させる（Ｓ３４）。素材データ提供サーバー４は、該番組特定データを受信すると（Ｓ３６）、該番組特定データに基づいて、素材データ提供サーバー４が送信可能な「映画Ａ」についての素材データ、の素材カテゴリの候補を示すデータをユーザ端末１０に向けて送信する（Ｓ３８）。素材データ受信処理部１１１は、通信部１３を介して前記素材カテゴリの候補を示すデータを受信すると、該データに基づいて、図５に示すようなカテゴリ選択画面４０を、ユーティリティ画面３０に重畳させて表示する（Ｓ４０）。図５は、カテゴリ選択画面４０を示す図である。素材データ受信処理部１１１は、カテゴリ選択画面４０を表示することにより、ユーザに前記素材カテゴリの候補を提示する。そして、素材データ受信処理部１１１は、前記カテゴリ選択画面４０を通じて、ユーザの前記素材カテゴリの候補に対する選択操作を受け付ける。
【００５３】
カテゴリ選択画面４０について、図５を用いて説明する。カテゴリ選択画面４０は、ユーザが素材データ取得ボタンＴｇをクリックすることによって特定された番組（すなわち、「映画Ａ」）に対して表示される。カテゴリ選択画面４０には、「映画Ａ」のレーベル画像のデータを作成するための素材データの素材カテゴリの候補４３、が表示されている。つまり、カテゴリ選択画面４０には、素材データ提供サーバー４が送信可能な「映画Ａ」についての素材データ、の素材カテゴリの一覧が表示される。なお、素材データ提供サーバー４が送信可能な「映画Ａ」についての素材データ、の素材カテゴリは、「背景」、「タイトル」、「監督」、「配役」、「放送日」、「放送チャンネル」、及び、「放送時間」である。
【００５４】
カテゴリ選択画面４０が表示されると、ユーザは、素材カテゴリの候補４３に対する選択操作として、カテゴリ選択画面４０において個々の素材カテゴリに設けられたチェックボックス４３ａのうち、素材データ提供サーバー４から受信する素材データの素材カテゴリのチェックボックス４３ａにチェックマークを入れる操作を行う。その後、ユーザが、カテゴリ選択画面４０に設けられた選択完了ボタン４１（図５中、「ＯＫ」と記されたボタン）をクリックすることにより、素材データ受信処理部１１１は、ユーザの、素材カテゴリの候補４３に対する選択操作を受け付ける。前記素材データ受信処理部１１１は、ユーザの選択操作を受け付けると、該選択操作に基づいて、該素材カテゴリの候補４３のうちのユーザにより選択された素材カテゴリを示すデータ（すなわち、チェックボックス４３ａにチェックマークが入った素材カテゴリを指定するデータであり、以下、カテゴリ指定データと言う）を作成する。そして、素材データ受信処理部１１１は、当該カテゴリ指定データを通信部１３に素材データ提供サーバー４に向けて送信させる（Ｓ４２）。なお、ユーザが、カテゴリ選択画面４０に設けられた中断ボタン４２（図５中、「キャンセル」と記されたボタン）をクリックした場合、レーベル画像印刷処理が中断される。
【００５５】
以下、具体例として、素材カテゴリの候補４３のうち、「背景」、「タイトル」、「配役」の素材カテゴリが選択され、これら３つの素材カテゴリを示すカテゴリ指定データが送信された場合について説明する。
【００５６】
素材データ提供サーバー４は、前記カテゴリ指定データを受信すると（Ｓ４４）、該カテゴリ指定データに基づいて、ユーザにより選択された各素材カテゴリ（すなわち、「背景」、「タイトル」、「配役」）に属する素材データ、の候補を示すデータをユーザ端末１０に向けて送信する（Ｓ４６）。なお、当該素材データの候補を示すデータは、前記素材カテゴリ別に分けて送信される。素材データ受信処理部１１１は、通信部１３を介して素材データの候補を示すデータを素材カテゴリ別に分けて受信する。そして、素材データ受信処理部１１１は、各素材データの候補を示すデータに基づいて、各素材カテゴリに対する素材データ選択画面をユーティリティ画面３０に重畳させて状態で表示する（Ｓ４８）。
【００５７】
具体的に説明すると、素材データ受信処理部１１１は、先ず、「背景」の素材カテゴリに属する素材データの候補を示すデータを受信し、該データに基づいて、図６に示す素材データ選択画面５０を表示する。図６は、「背景」の素材カテゴリに属する素材データの候補５３を表示する素材データ選択画面５０（以下、「背景」の素材データ選択画面５０）を示す図である。素材データ受信処理部１１１は、「背景」の素材データ選択画面５０を表示して、「背景」の素材カテゴリに属する素材データの候補５３をユーザに提示する。そして、素材データ受信処理部１１１は、「背景」の素材データ選択画面５０を通じて、ユーザの、「背景」の素材カテゴリに属する素材データの候補に対する選択操作を受け付ける。
【００５８】
「背景」の素材データ選択画面５０について、図６を用いて説明する。「背景」の素材データ選択画面５０は、前記カテゴリ選択画面４０にて素材カテゴリの候補４３が提示された際にユーザが当該素材カテゴリの候補４３の中から「背景」の素材カテゴリを選択したこと、に基づいて表示される。「背景」の素材データ選択画面５０には、素材データ提供サーバー４が送信可能な「映画Ａ」についての素材データのうち、「背景」の素材カテゴリに属する素材データが表示される。また、図６に示すように、「背景」の素材データ選択画面５０において、前記素材データの候補５３の各々は所謂サムネイル画像５３ｂの形式にて表示される。当該サムネイル画像５３ｂは、「背景」の素材カテゴリに属する各素材データに基づく素材のイメージ画像を示している。なお、素材データ提供サーバー４は、「背景」の素材カテゴリに属する素材データとして、図６中、「背景１」、「背景２」、「背景３」、「背景４」と付記されたサムネイル画像５３ｂに対応する素材データ（以下、「背景１」の素材データなどと表記する）を送信することが可能である。
【００５９】
「背景」の素材データ選択画面５０が表示されると、ユーザは、素材データの候補５３に対する選択操作として、「背景」の素材データ選択画面５０において個々の素材カテゴリに対して設けられたチェックボックス５３ａのうち、素材データ提供サーバー４から受信する素材データのチェックボックス５３ａにチェックマークを入れる操作を行う。その後、ユーザが、素材データ選択画面５０に設けられた選択完了ボタン５１（図６中、「ＯＫ」と記されたボタン）をクリックすることにより、素材データ受信処理部１１１は、ユーザの、前記素材データの候補５３に対する選択操作を受け付ける。前記素材データ受信処理部１１１は、ユーザの選択操作を受け付けると、該選択操作に基づいて、前記素材データの候補５３のうちのユーザが選択した素材データを示すデータ（すなわち、チェックボックス５３ａにチェックマークが入った素材データを指定するためのデータであって、以下、素材データ指定データと言う）を作成する。そして、素材データ受信処理部１１１は、当該素材データ指定データを通信部１３に素材データ提供サーバー４に向けて送信させる（Ｓ５０）。なお、ユーザが、「背景」の素材データ選択画面５０に設けられた中断ボタン５２（図６中、「キャンセル」と記されたボタン）をクリックした場合、レーベル画像印刷処理が中断される。
【００６０】
以下、具体例として、「背景」の素材カテゴリに属する素材データの候補５３のうち、「背景１」、「背景３」、「背景４」の素材データが選択され、これら３つの素材データを示す素材データ指定データが送信された場合について説明する。
【００６１】
素材データ提供サーバー４は、「背景」の素材カテゴリについて素材データ指定データを受信すると（Ｓ５２）、該素材データ指定データに基づいて、ユーザにより選択された素材データ（すなわち、「背景１」、「背景３」、「背景４」の素材データ）をユーザ端末１０に向けて送信する（Ｓ５４）。素材データ受信処理部１１１は、通信部１３を介して、ユーザにより選択された「背景」の素材カテゴリに属する素材データを受信する（Ｓ５６）。受信後、素材データ受信処理部１１１は、前記素材データをデータ保存部１６に保存させる。このとき、素材データ受信処理部１１１は、データ保存部１６内に、「映画Ａ」についての素材データを保存させるためのフォルダ（以下、「映画Ａ」のフォルダ）を設け、受信した「背景」の素材カテゴリに属する素材データは当該フォルダ内に保存される。なお、本実施形態では、図７に示すように、「背景」の素材カテゴリに属する各素材データはｊｐｇ形式の画像データである。図７は、「映画Ａ」のフォルダについてのファイル一覧画面２００を示す図である。
【００６２】
また、図７に示すように、「映画Ａ」のフォルダに保存された各素材データのファイル２０１にはファイル名が付けられている（例えば、「背景１」の素材データのファイル２０１には、ファイル名「ｂｇｒ０００１」が付けられている）。そして、各素材データのファイル名中、先頭から３番目までの文字列は、該各素材データが属する素材カテゴリに対応する文字列となっている。具体的に説明すると、図７に示すように、「背景」の素材カテゴリに属する各素材データのファイル名には、「背景」の素材カテゴリに対応した文字列として、「ｂｇｒ」という文字列が含まれている。このように、素材データ提供サーバー４から受信される素材データは、当該素材データが属する素材カテゴリを示す『カテゴリ情報』として、該素材カテゴリに対応する文字列を含むファイル名の情報を有している。なお、『カテゴリ情報』は、素材カテゴリに対応する文字列を含むファイル名の情報に限定されるものではない。『カテゴリ情報』は、素材データが属する素材カテゴリを識別するための情報であれば、前記ファイル名以外の付加的情報であってもよい。
【００６３】
「背景」の素材カテゴリに属する素材データの受信が完了すると、素材データ受信処理部１１１は、図４Ｂに示すように、カテゴリ選択画面４０にて選択された素材カテゴリ全てについて素材データの受信が完了したか判断する（Ｓ５８）。「背景」の素材カテゴリに属する素材データの受信が完了した時点では、「タイトル」及び「配役」の素材カテゴリに属する素材データが未だ受信されていない（Ｓ５８でＮｏ）。このため、前記素材データ受信処理部１１１は、「タイトル」の素材カテゴリに属する素材データの送信を要求するためのカテゴリ指定データ、を通信部１３に素材データ提供サーバー４に向けて送信させる（Ｓ６０）。素材データ提供サーバー４は、当該データを受信すると（Ｓ６２）、「タイトル」の素材カテゴリに属する素材データ、の候補を示すデータをユーザ端末１０に向けて送信する（Ｓ６４）。素材データ受信処理部１１１は、通信部１３を介して当該素材データの候補を示すデータを受信すると、該データに基づいて図８に示す素材データ選択画面６０を表示する（Ｓ６６）。図８は、「タイトル」の素材カテゴリに属する素材データの候補６３を表示する素材データ選択画面６０（以下、「タイトル」の素材データ選択画面６０）を示す図である。
【００６４】
素材データ受信処理部１１１は、「タイトル」の素材データ選択画面６０を表示して、「タイトル」の素材カテゴリに属する素材データの候補６３を提示する。この「タイトル」の素材データ選択画面６０は、ユーザが前記カテゴリ選択画面４０上にて「タイトル」の素材カテゴリを選択したことに基づいて表示される。また、該素材データ選択画面６０においても、素材データの候補６３の各々はサムネイル画像６３ｂの形式にて表示される。なお、本実施形態の素材データ提供サーバー４は、「タイトル」の素材カテゴリに属する素材データとして、図８中、「タイトル１」、「タイトル２」、「タイトル３」、「タイトル４」と付記されたサムネイル画像６３ｂに対応する素材データ（以下、「タイトル１」の素材データなどと表記する）を送信することが可能である。
【００６５】
そして、素材データ受信処理部１１１は、「背景」の素材カテゴリに属する素材データを受信した手順と同様の手順により、ユーザの選択操作に基づいて、「タイトル」の素材データ選択画面６０に表示された素材データの候補のうちのユーザにより選択された素材データ（すなわち、チェックボックス６３ａにチェックマークが入った素材データ）を受信する（Ｓ６８〜Ｓ７４）。以下、具体的に説明するため、「タイトル」の素材カテゴリに属する素材データのうち、「タイトル２」、「タイトル４」の素材データが受信されたこととする。受信された「タイトル」の素材カテゴリに属する素材データは、上述の「背景」の素材カテゴリに属する素材データと同様、「映画Ａ」のフォルダ内に保存される。なお、「タイトル」の素材カテゴリに属する各素材データもｊｐｇ形式の画像データである。また、「タイトル」の素材カテゴリに属する各素材データのファイル２０２（図１０参照）には、「タイトル」の素材カテゴリに対応した文字列（すなわち、「ｔｉｔ」という文字列）を含むファイル名が付けられている（例えば、「タイトル２」の素材データのファイルには、ファイル名「ｔｉｔ０００２」が付けられている）。
【００６６】
「タイトル」の素材カテゴリに属する素材データの受信が完了した後、素材データ受信処理部１１１は、図４Ｂに示すように、再び、カテゴリ選択画面４０にて選択された素材カテゴリ全てについて素材データの受信が完了したか判断する（Ｓ５８）。「タイトル」の素材カテゴリに属する素材データの受信が完了した時点では、未だ「配役」の素材カテゴリに属する素材データが受信されていないため（Ｓ５８でＮｏ）、素材データ受信処理部１１１は、素材データ提供サーバーに対して、「配役」の素材カテゴリに属する素材データの送信を要求する（Ｓ６０）。そして、素材データ受信処理部１１１は、「背景」や「タイトル」の素材カテゴリの場合と同様の手順により、「配役」の素材カテゴリに属する素材データを受信する（Ｓ６２〜Ｓ７４）。
【００６７】
具体的に説明すると、素材データ受信処理部１１１は、素材データ提供サーバー４から、「配役」の素材カテゴリに属する素材データの候補を示すデータ、を受信する。そして、該データに基づいて、図９に示す素材データ選択画面７０が表示され、「配役」の素材カテゴリに属する素材データの候補７３が提示される。図９は、「配役」の素材カテゴリに属する素材データの候補７３を表示する素材データ選択画面７０（以下、「配役」の素材データ選択画面７０）を示す図である。「配役」の素材データ選択画面７０は、ユーザが前記カテゴリ選択画面４０上にて「配役」の素材カテゴリを選択したことに基づいて表示される。また、「配役」の素材データ選択画面７０においても、素材データの候補７３の各々がサムネイル画像７３ｂの形式にて表示される。なお、本実施形態の素材データ提供サーバー４は、「配役」の素材カテゴリに属する素材データとして、図９中、「配役１」、「配役２」、「配役３」、「配役４」と付記されたサムネイル画像７３ｂに対応する素材データ（以下、単に「配役１」の素材データなどと表記する）を送信することが可能である。
【００６８】
そして、素材データ受信処理部１１１は、ユーザの選択操作に基づいて、「配役」の素材データ選択画面７０に表示された素材データの候補のうちのユーザに選択された素材データ（すなわち、チェックボックス７３ａにチェックマークが入れられた素材データ）を素材データ提供サーバー４から受信する。以下、具体的に説明するために、「配役」の素材カテゴリに属する素材データのうち、「配役１」、「配役２」、「配役３」の素材データが受信されたこととする。受信された「配役」の素材カテゴリに属する素材データは、「映画Ａ」のフォルダ内に保存される。また、「配役」の素材カテゴリに属する素材データのファイル２０３（図１０参照）には、「配役」の素材カテゴリに対応した文字列（すなわち、「ｃｓｔ」という文字列）を含むファイル名が付けられている（例えば、「配役１」の素材データのファイルには、ファイル名「ｃｓｔ０００１」が付けられている）。さらに、「配役」の素材カテゴリに属する各素材データはテキストデータである。なお、「配役」の素材データ選択画面７０に表示されたサムネイル画像７３ｂは、「配役」の素材カテゴリに属する各素材データが示す文字列を所定のサイズ及びフォントにて表示したイメージ画像となっている。
【００６９】
カテゴリ選択画面４０にて選択された素材カテゴリ全てについて素材データの受信が完了すると（Ｓ５８でＹｅｓ）、素材データ受信処理部１１１が素材データを受信するステージが完了する。当該ステージが完了すると、図１０に示すように、素材データ提供サーバー４から受信した「映画Ａ」についての素材データ、のファイルが全て「映画Ａ」のフォルダ内に格納される。図１０は、素材データを受信するステージが完了した直後における、「映画Ａ」のフォルダについてのファイル一覧画面２００を示す図である。
【００７０】
以上のように、「背景」の素材カテゴリに属する素材データと、「タイトル」の素材カテゴリに属する素材データと、「配役」の素材カテゴリに属する素材データとは、順次、「映画Ａ」のフォルダに保存される。換言すると、素材データ受信処理部１１１は、ユーザにより選択された素材カテゴリ毎に、ユーザにより選択された素材データを受信する。
【００７１】
次に、素材提示処理部１１２が、受信された素材データに基づく素材をユーザが選択する該素材の候補として提示する処理を実行するステージについて説明する。
【００７２】
「映画Ａ」についての素材データの受信が完了すると、素材提示処理部１１２は、データ保存部１６（より正確には、データ保存部１６に設けられた「映画Ａ」のフォルダ）から前記「映画Ａ」についての素材データを読出し、該素材データに基づく素材を前述したレーベルデータ作成用画面３２の素材提示用スペース３００に表示する（Ｓ７６）。これにより、受信された「映画Ａ」についての素材データに基づく素材が、ユーザが選択する該素材の候補として提示されることになる。
【００７３】
素材提示処理部１１２が前記素材を提示する処理について、図１１を参照しながらより詳細に説明する。図１１は、素材提示処理部１１２が素材を提示する処理についての説明図であり、前記素材提示用スペース３００に素材の候補３１１、３２１、３３１が表示された状態のユーティリティ画面３０を示している。
【００７４】
素材提示処理部１１２は、「映画Ａ」のフォルダに保存された素材データを読み出すと、該素材データが備えた、素材カテゴリに対応する文字列（すなわち、文字列「ｂｇｒ」、「ｔｉｔ」、「ｃｓｔ」）を含むファイル名の情報を解析する。そして、素材提示処理部１１２は、ファイル名の情報に基づいて、前記素材データが属する素材カテゴリを識別し、前記素材カテゴリと同数の素材提示フレームを前記素材提示用スペース３００内に設ける。本例では、「映画Ａ」についての素材データが属する素材カテゴリは「背景」、「タイトル」、「配役」の三種類であるため、図１１に示すように、３つの素材提示フレーム３１０、３２０、３３０が設けられる。
【００７５】
その後、素材提示処理部１１２は、素材データに基づいて、素材提示フレーム３１０、３２０、３３０内に素材の候補３１１、３２１、３３１を表示する。各素材提示フレーム３１０、３２０、３３０に表示される素材の候補３１１、３２１、３３１は、当該各素材提示フレーム３１０、３２０、３３０に対応する素材カテゴリに属している。より具体的に説明すると、素材提示処理部１１２は、「映画Ａ」のフォルダに保存された各素材データに基づく素材を、前記ファイル名の情報に基づいて素材カテゴリ別に分類する。そして、各素材を、該各素材が属する素材カテゴリに対応する素材提示フレーム３１０、３２０、３３０に表示させる。この結果、例えば、「背景」の素材カテゴリに属する素材は、「背景」の素材カテゴリに対応する素材提示フレーム３１０（最上段の素材提示フレーム）内に表示されるようになる。また、各素材提示フレーム３１０、３２０、３３０には、素材の候補３１１、３２１、３３１の各々を示すイメージ画像３１１ｂ、３２１ｂ、３３１ｂが表示される。なお、素材データのうち、「配役」の素材カテゴリに属する素材データは、前述したように、テキストデータであるため、「配役」の素材カテゴリに対応する素材提示フレーム３３０（最下段の素材提示フレーム）に表示されるイメージ画像３３１ｂは、前記素材データに基づいて、所定のサイズ及びフォントにて表示された文字列の画像となっている。
【００７６】
以上のように、素材提示処理部１１２は、「映画Ａ」についての素材データに基づく各素材を前記ファイル名の情報に基づいて素材カテゴリ別に分けて、当該素材カテゴリ毎に素材の候補３１１、３２１、３３１をユーザに提示する。そして、提示処理の終了に伴い、レーベル画像印刷処理は作成処理（Ｓ７８）に移行する。
【００７７】
＜＜作成処理＞＞
提示処理にて提示された各素材の候補３１１、３２１、３３１に対して、ユーザが選択操作を行うと、前述した作成処理部１１３が、図１２に示すフローに従って、レーベル画像のデータを作成する作成処理を実行する。図１２は、作成処理のフロー図である。
【００７８】
作成処理は、ユーザが、素材提示用スペース３００に表示された各素材の候補３１１、３２１、３３１に対して、「映画Ａ」のレーベル画像を作成するために素材を選択するところから開始する。この際、ユーザは、前記素材の候補３１１、３２１、３３１に対する選択操作として、素材提示フレーム３１０、３２０、３３０内において個々の素材に設けられたチェックボックス３１１ａ、３２１ａ、３３１ａのうち、ユーザが「映画Ａ」のレーベル画像を作成するための素材として選んだ素材のチェックボックス３１１ａ、３２１ａ、３３１ａにチェックマークを入れる操作を行う。当該操作により、素材提示フレーム３１０、３２０、３３０に対応する素材カテゴリの各々について、素材が選択される。なお、本実施形態では、各素材カテゴリについて、当該各素材カテゴリに属する素材を用いない選択をすることも可能である。かかる場合、素材の候補３１１、３２１、３３１の下方に表示された選択肢３１２、３２２、３３２（例えば、図１１中、「背景を印刷しない」と記された選択肢）に設けられたチェックボックス３１２ａ、３２２ａ、３３２ａにチェックマークを入れることになる。
【００７９】
ユーザが、上記の選択操作を行い、レーベルデータ作成用画面３２の右下隅に設けられたレーベル作成ボタン３４０をクリックすると、作成処理部１１３は、ユーザの、前記素材の候補３１１、３２１、３３１に対する選択結果を受け付ける（Ｓ１０２）。そして、作成処理部１１３は、当該選択結果に基づき、ユーザにより選択された素材の素材データから「映画Ａ」のレーベル画像のデータを作成する（Ｓ１０４）。つまり、作成処理部１１３は、ユーザにより選択された素材が合成された状態のレーベル画像のデータを作成する。以下、具体例として、「背景」の素材カテゴリについては「背景３」の素材データに基づく素材が、「タイトル」の素材カテゴリについては「タイトル４」の素材データに基づく素材が、「配役」の素材カテゴリについては「配役１」及び「配役２」の素材データに基づく素材が、それぞれ選択された場合について説明する。
【００８０】
作成処理部１１３は、前記レーベル画像のデータを作成すると、図１３に示すプレビュー画面８０をユーティリティ画面３０に重畳させて表示する（Ｓ１０６）。図１３は、プレビュー画面８０を示す図である。当該プレビュー画面８０には、作成処理部１１３により作成されたレーベルデータに基づくレーベル画像８４が表示されている。そして、当該レーベル画像８４は、「背景３」の素材データに基づく素材と、「タイトル４」の素材データに基づく素材と、「配役１」及び「配役２」の素材データに基づく素材と、が合成されたものとなっている。このとき、各素材は、レーベル画像８４上において、予め設定されたサイズ及び位置にて表示される。特に、「配役１」及び「配役２」の素材データに基づく素材については、予め設定されたフォントにて表示される。このことをレーベル画像のデータから説明すると、作成処理部１１３は、予め設定されたレイアウト条件に従って各素材を合成されるように、レーベル画像のデータを作成する。この結果、作成されたレーベル画像のデータは、前記レイアウト条件に対応したレイアウト情報を備えることになる。
【００８１】
以上のようなプレビュー画面８０を表示することにより、ユーザは、作成処理部１１３が作成したレーベルデータに基づくレーベル画像８４を確認することが可能になる。その後、作成処理部１１３は、ユーザからの前記レーベル画像８４に対する修正要求、の有無を確認する（Ｓ１０８）。具体的に説明すると、プレビュー画面８０に設けられた３つのボタンのうち、印刷実行ボタン８１（図１３中、「はい」と記されたボタン）がクリックすると、作成処理部１１３はユーザの修正要求が無いと判断する（Ｓ１０８でＮｏ）。かかる場合、作成処理が完了して、レーベル画像印刷処理は印刷処理（図４ＢにおいてＳ８０）に移行する。一方、ユーザが修正要求ボタン８３（図１３中、「やり直し」と記されたボタン）をクリックすると、作成処理部１１３は、前記修正要求が有ると判断する（Ｓ１０８でＹｅｓ）。かかる場合、作成処理部１１３は、ユーザからの該修正要求に応答して、図１４に示すレイアウト修正画面９０をユーティリティ画面３０に重畳させて表示する（Ｓ１１０）。図１４はレイアウト修正画面９０を示す図である。
【００８２】
レイアウト修正画面９０には、図１４に示すように、作成処理部１１３が作成したレーベル画像のデータに基づいて、修正用レーベル画像９１が表示される。また、修正用レーベル画像９１中の各素材９１ａ、９１ｂ、９１ｃは枠線（図１４において、破線にて示す）により囲まれた状態で表示される。そして、ユーザが、マウスポインタ９２を各素材の枠線上に合わせた状態でマウス操作を行うことにより、各素材のサイズや配置位置等などが修正される。なお、修正用レーベル画像９１中、「配役」の素材カテゴリに属する素材９１ｃについては、サイズや配置位置のほか、フォントを修正することも可能である。このような修正を作成処理部１１３側から説明すると、作成処理部１１３は、ユーザの、前記レイアウト修正画面９０上にて行われるレイアウト修正操作（具体的には、上述のマウス操作）に基づいて、前述したレイアウト情報を修正することになる（Ｓ１１２）。
【００８３】
そして、ユーザがレイアウト修正画面９０に設けられた修正完了ボタン９３（図１４中、「ＯＫ」と記されたボタン）をクリックすると、レイアウトの修正処理、及び、作成処理が完了し、レーベル画像印刷処理が印刷処理（図４ＢにおいてＳ８０）に移行する。なお、ユーザが、プレビュー画面８０中の中断ボタン８２（図１３中、「いいえ」と記されたボタン）をクリックすると、レーベル画像印刷処理が中断される。
【００８４】
＜＜印刷処理＞＞
ユーザが、印刷要求操作として、プレビュー画面８０上の印刷実行ボタン８１、または、レイアウト修正画面９０上の修正完了ボタン９３をクリックする操作を行うと、印刷制御部１９が、作成処理部１１３により作成されたレーベルデータを印刷データに変換する。そして、印刷制御部１９が当該印刷データを印刷待機状態にあるプリンタ２０に入力すると、該プリンタ２０が当該印刷データ（すなわち、変換されたレーベル画像のデータ）に基づいて「映画Ａ」のレーベル画像をＤＶＤのレーベル面に印刷する。この結果、図１５に示すように、「映画Ａ」のレーベル画像が印刷されたレーベル面を有するＤＶＤ（図１５中、記号Ｄｎにて示す）が完成する。そして、印刷処理の終了に伴って、レーベル画像印刷処理が完了する。なお、本実施形態では、修正完了ボタン９３がクリックされると、印刷処理に移行することとしたが、これに限定されるものではない。例えば、前記修正完了ボタン９３のクリック後にプレビュー画面８０に戻り、ユーザが再度レーベル画像８４（より正確には、修正後のレーベルデータに基づくレーベル画像）を確認し、印刷実行ボタン８１をクリックすると、印刷処理が実行されることとしてもよい。
【００８５】
以上のようなレーベル画像印刷処理にて、「映画Ａ」のレーベル画像が「映画Ａ」の映像データが記録されたＤＶＤ（図１５中、記号Ｄｍにて示す）のレーベル面に印刷される。つまり、ユーザが「映画Ａ」の映像データが記録されたＤＶＤを適切に管理するために、該ＤＶＤのレーベル面に「映画Ａ」のレーベル画像が印刷されることとなる。
【００８６】
＝＝＝本実施形態のユーザ端末１０の有効性について＝＝＝
本実施形態のユーザ端末１０は、（Ａ）データを受信するためにサーバーとの通信を行う通信部１３と、（Ｂ）該通信部１３を介して電子番組表データ提供サーバー３から電子番組表のデータ受信し、該データに基づいて電子番組表を表示する表示処理と、ユーザの、前記電子番組表中の個別の番組に対する所定の操作、に基づいて前記通信部１３を介して素材データ提供サーバー４から、前記番組に関連付けられたレーベル画像のデータを作成するための素材の素材データ、を素材カテゴリ別に分けて受信し、該素材データに基づく素材をユーザが選択する該素材の候補として前記素材カテゴリ別に分けてユーザに提示する提示処理と、提示された前記素材のうちのユーザにより選択された素材の素材データ、から前記印刷用画像のデータを作成する作成処理と、を実行するデータ処理実行部１８と、（Ｃ）を有する。これにより、ユーザが好む素材、により構成されたレーベル画像のデータをより容易に作成することが可能になる。
【００８７】
すなわち、発明が解決しようとする課題の項で説明した通り、レーベル画像のデータを作成するにあたり、素材データ提供サーバー４から受信した素材データに基づいて素材の候補としてユーザに提示する場合、当該素材の候補は、ユーザが好みの素材を容易に選択することが可能となるように提示されることが好ましい。しかしながら、従来のユーザ端末では、互いに素材カテゴリが異なる素材が混在した状態で提示されることが多く、ユーザが好みの素材を選択するのに相当な手間を要していた。
【００８８】
これに対し、本実施形態のユーザ端末１０では、前述したように、素材の候補が素材カテゴリ別に分けて提示される。つまり、前記素材の候補が素材カテゴリ毎にまとまって提示される。この結果、ユーザは、素材カテゴリ単位で素材を選択すればよく、さらに、素材カテゴリが相違する素材が混在している場合と比して、好みの素材も見つけ易くなる。
【００８９】
また、本実施形態のユーザ端末１０は、素材データ提供サーバー４から素材データを受信してくる際、該素材データを素材カテゴリ別に分けて受信する。このような構成であれば、全ての素材データの受信が完了する前であっても、素材データの受信が完了した素材カテゴリから順次、素材の候補を提示することも可能となる。この結果、レーベル画像のデータを作成する時間も短縮することが可能になる。
【００９０】
以上により、本実施形態では、ユーザが好む素材、により構成された印刷用画像のデータ、がより容易に作成されることとなる。この結果、ユーザがレーベル画像のデータを取得する際の利便性が向上される。
【００９１】
＝＝＝その他の実施例＝＝＝
以上、上記の実施形態に基づき、主として本発明に係るデータ処理装置、及び、該データ処理装置と印刷装置とを有する印刷システム、について説明したが、上記の説明中には、前記データ処理装置による、印刷媒体への印刷用画像のデータを作成するためのデータ処理方法、の開示も含まれている。さらに、上記の説明には、当該データ処理方法中の各ステップをコンピュータに実行させるためのプログラムの開示も含まれている。なお、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【００９２】
また、上記の実施形態では、データ処理装置の一例として、番組の映像データを取得する機能と、該番組の録画予約を設定する機能と、を有するＰＣを例に挙げて説明したが、これに限定されるものではない。例えば、コンピュータ自体に映像データを取得する機能や録画予約を設定する機能が備わっていなくてもよい。また、データ処理装置としては、ＰＣに限定されず、例えば、データ処理機能を備えたＴＶやＤＶＤレコーダ等の他のデータ処理装置も考えられる。すなわち、電子番組表を表示する機能と、電子番組表を利用して、素材データ提供サーバー４から素材データを素材カテゴリ別に受信する機能と、該素材データに基づく素材をユーザに素材カテゴリ別に提示する機能と、ユーザにより選択された素材の素材データから印刷用画像のデータを作成する機能と、を備えている限り、あらゆるデータ処理装置が利用可能である。
【００９３】
さらに、上記の実施形態では、データ処理装置としてのユーザ端末１０と、印刷装置としてのプリンタ２０と、が別個の装置であって、両装置により印刷システムが構成されていることとした。但し、これに限定されるものでなく、本発明は、データ処理装置と印刷装置とを一体化させた装置（例えば、上記のデータ処理機能を有する印刷装置）にも適用可能である。
【００９４】
また、上記の実施形態では、ユーザ端末１０は、インターネットを経由して、電子番組表データ提供サーバー３や素材データ提供サーバー４からデータを受信することとしたが、これに限定されるものではない。電子番組表データ提供サーバー３や素材データ提供サーバー４から送信されるデータ（すなわち、電子番組表のデータや素材データなど）が、例えば、ＢＳデジタル放送システムのように、テレビ放送局が発信する放送電波に多重化された状態でユーザ端末１０に向けて送信されることとしてもよい。
【００９５】
また、上記実施の形態では、印刷媒体への印刷用画像の一例として、ＤＶＤのレーベル面に印刷するレーベル画像を例に挙げて説明した。しかし、これに限定されるものではなく、本発明は、例えば、ＤＶＤの収納ケースに付するラベル紙やジャケット紙などの他の印刷媒体に印刷される印刷用画像のデータを作成する場合にも適用可能である。
【００９６】
また、上記の実施形態では、素材データが、『カテゴリ情報』として、該素材データが属する素材カテゴリに対応する文字列を含むファイル名の情報を備えていることとした。そして、素材提示処理部１１２は、素材データに基づく素材をユーザに提示する際、該素材を前記ファイル名の情報カテゴリ情報に基づいて前記素材カテゴリ別に分けて提示することとした。しかし、これに限定されるものではなく、素材データが『カテゴリ情報』を備えていなくてもよい。かかる場合において、前記素材提示処理部１１２は、例えば、素材データから該素材データに基づく素材の特徴を解析し、当該特徴から素材カテゴリを推定して前記素材を素材カテゴリ別に分けて提示することとしてもよい。但し、上記の実施形態のように、素材データがカテゴリ情報を備えている場合、素材提示処理部１１２は、当該カテゴリ情報に基づいて、該素材データが属する素材カテゴリを正確かつ容易に識別することが可能になる。この結果、前記素材提示処理部１１２は、前記素材を容易に素材カテゴリ別に分けることも可能になる。かかる点において、上記の実施形態の方が望ましい。
【００９７】
また、上記の実施形態では、ユーザの、電子番組表のデータに対する保存要求操作、に基づいて電子番組表のデータをデータ保存部１６に保存させることが可能なデータ処理装置について説明した。そして、電子番組表表示部１００は、データ保存部１６に保存された電子番組表のデータに基づいて、該電子番組表（すなわち、過去の電子番組表）を再表示することが可能であることとした。さらに、素材データ受信処理部１１１は、ユーザの、再表示された過去の電子番組表中の個別の番組に対する所定の操作、に基づいて素材データ提供サーバー４から素材データを受信することとした。しかし、これに限定されるものではなく、電子番組表のデータを保存させる機能を備えていないデータ処理装置であってもよい。但し、上記の実施形態であれば、過去の電子番組表を利用して、該過去の電子番組表中の個別の番組についての素材データを受信することが可能になる。
【００９８】
具体的に説明すると、ある番組を含む電子番組表のデータは、該ある番組の放送日後に電子番組表データ提供サーバー３から消去される。一方、ユーザは、前記ある番組の放送日後に、該ある番組についての素材データを素材データ提供サーバー４から受信して、該ある番組のレーベル画像を作成する場合がある。このため、前記ある番組の電子番組表は、該ある番組の放送日後にも利用可能であることが好ましい。よって、上記の実施形態のように、ある番組を含む電子番組表のデータを保存させ、該データに基づいて該電子番組表のデータを再表示することが可能であれば、前記ある番組の放送日後にも該ある番組を含む電子番組表を利用することが可能となる。また、前述したように、再表示された電子番組表中の各番組欄には素材データ取得ボタンＴｇが設けられている。そして、ユーザが前記ある番組の番組欄内に設けられた素材データ取得ボタンＴｇをクリックすると、該ある番組を特定する番組特定データが生成され、当該データが素材データ提供サーバー４に送信される。この結果、ユーザ端末１０は、前記ある番組の放送日後であっても、該ある番組についての素材データが素材データ提供サーバー４に保存されている限り、再表示された該ある番組を含む電子番組表を利用して、該ある番組についての素材データを受信することが可能となる。かかる点において、上記の実施形態の方が望ましい。
【００９９】
また、上記の実施形態では、素材データ受信処理部１１１は、ユーザが電子番組表の個別の番組に対して所定の操作（すなわち、素材データ取得ボタンＴｇをクリックする操作）を行うと、素材データ提供サーバー４が送信可能な前記番組についての素材データ、の素材カテゴリの候補を示すデータ（すなわち、カテゴリ選択画面４０のデータ）を受信することとした。また、前記素材データ受信処理部１１１は、ユーザが前記素材カテゴリの候補に対して選択操作を行うと、ユーザが選択した素材カテゴリについて素材データ提供サーバー４が送信可能な素材データ、の候補を示すデータ（すなわち、素材データ選択画面のデータ）を受信する。そして、素材データ受信処理部１１１は、前記素材データの候補のうちのユーザにより選択された素材データ、を素材データ提供サーバー４から受信することとした。以上のように、上記の実施形態では、素材データ受信処理部１１１は、ユーザにより選択された素材カテゴリに属する素材データの候補のうちのユーザにより選択された素材データに限定して受信する。しかし、これに限定されるものではなく、前記素材データ受信処理部１１１は、素材データ提供サーバー４が送信可能な前記番組についての素材データを全て受信することとしてもよい。但し、上記の実施形態のように、素材データ提供サーバー４から受信する素材データを限定することにより、データ保存部１６において前記素材データの保存のために確保する領域を節約することが可能になる。かかる点において、上記実施形態の方が望ましい。
【０１００】
また、上記の実施形態では、作成処理部１１３は、レーベル画像のデータを作成した後、ユーザからの修正要求を応じて、前記レーベル画像についてのレイアウト修正画面９０を表示することとした。そして、作成処理部１１３は、ユーザの、該レイアウト修正画面９０上にて行われるレイアウト修正操作、に基づいて前記レーベル画像のデータ中のレイアウト情報、を修正することとした。しかし、これに限定されず、データ処理装置は、前記レイアウト情報を修正する機能を備えていなくてもよい。但し、上記の実施形態のように、前記レイアウト情報を修正することが可能であれば、ユーザの前記レーベル画像のレイアウトに対する要求に応じて、より好ましいレーベル画像が作成されることになる。かかる点において、上記の実施形態の方が望ましい。
【図面の簡単な説明】
【０１０１】
【図１】印刷システム１の概念図である。
【図２】ユーザ端末１０の構成を示すブロック図である。
【図３】電子番組表Ｔが表示されたユーティリティ画面３０を示す図である。
【図４Ａ】レーベル画像印刷処理のフロー図である。
【図４Ｂ】図４Ａに続く、レーベル画像印刷処理のフロー図である。
【図５】カテゴリ選択画面４０を示す図である。
【図６】「背景」の素材データ選択画面５０を示す図である。
【図７】「映画Ａ」のフォルダについてのファイル一覧画面２００を示す図である。
【図８】「タイトル」の素材データ選択画面６０を示す図である。
【図９】「配役」の素材データ選択画面７０を示す図である。
【図１０】素材データを受信するステージが完了した直後の、「映画Ａ」のフォルダについてのファイル一覧画面２００を示す図である。
【図１１】素材提示処理部１１２が素材を提示する処理についての説明図である。
【図１２】作成処理のフロー図である。
【図１３】プレビュー画面８０を示す図である。
【図１４】レイアウト修正画面９０を示す図である。
【図１５】ＤＶＤのレーベル面にレーベル画像を印刷した図である。
【符号の説明】
【０１０２】
１  印刷システム、２  ネットワーク、
３  電子番組表データ提供サーバー
４  素材データ提供サーバー
１０  ユーザ端末、１１  制御部、１２  映像データ取得部、
１３  通信部、１４  入力部、１５  出力部、１６  データ保存部、
１７  データ書込部、１８  データ処理実行部、１９  印刷制御部、
２０  プリンタ、３０  ユーティリティ画面、
３１  電子番組表表示画面、３２  レーベルデータ作成用画面、
４０  カテゴリ選択画面、４１  選択完了ボタン、
４２  中断ボタン、４３  素材カテゴリの候補、４３ａ  チェックボックス、
５０、６０、７０  素材データ選択画面
５１  選択完了ボタン、５２  中断ボタン、
５３、６３、７３  素材データの候補、
５３ａ、６３ａ、７３ａ  チェックボックス、
５３ｂ、６３ｂ、７３ｂ  サムネイル画像、
８０  プレビュー画面、８１  印刷実行ボタン、８２  中断ボタン、
８３  修正要求ボタン、８４  レーベル画像、９０  レイアウト修正画面、
９１  修正用レーベル画像、９１ａ、９１ｂ、９１ｃ  素材
９２  マウスポインタ、９３  修正完了ボタン、
１００  電子番組表表示部、１０１  電子番組表保存処理部、
１０２  番組録画設定部、１１０  レーベルデータ作成処理部
１１１  素材データ受信処理部、１１２  素材提示処理部、
１１３  作成処理部、２００  ファイル一覧画面、
２０１、２０２、２０３  ファイル、３００  素材提示用スペース、
３１０、３２０、３３０  素材提示フレーム、
３１１、３２１、３３１  素材の候補、
３１１ａ、３２１ａ、３３１ａ  チェックボックス、
３１１ｂ、３２１ｂ、３３１ｂ  イメージ画像、
３１２、３２２、３３２  選択肢、
３１２ａ、３２２ａ、３３２ａ  チェックボックス、
３４０  レーベル作成ボタン、
Ｔ  電子番組表、Ｔｒ  録画予約ボタン、Ｔｇ  素材データ取得ボタン
【図１】
2008306291.tif 000003
【図２】
2008306291.tif 000004
【図３】
2008306291.tif 000005
【図４Ａ】
2008306291.tif 000006
【図４Ｂ】
2008306291.tif 000007
【図５】
2008306291.tif 000008
【図７】
2008306291.tif 000009
【図９】
2008306291.tif 000010
【図１０】
2008306291.tif 000011
【図１２】
2008306291.tif 000012
【図６】
2008306291.tif 000013
【図８】
2008306291.tif 000014
【図１１】
2008306291.tif 000015
【図１３】
2008306291.tif 000016
【図１４】
2008306291.tif 000017
【図１５】
2008306291.tif 000018